(57)【要約】【課題】可変図柄の変動遊技による当たりとビンゴゲーム等との関連性を明確化し、相互の遊技を一体化して遊技の趣向性を高める。【解決手段】複数の可変図柄ＶＬ，ＶＭ，ＶＲを可変表示させる可変図柄表示領域５１と、可変表示する複数の可変図柄に対応する複数の特定図柄Ｚ１〜Ｚ９が配列された配列図柄表示領域６１とを備えた遊技機において、前記可変表示領域５１内の複数の可変図柄が各々独立して図柄変動した後、所定の可変図柄組合せで停止した場合のみ、停止した所定の可変図柄組合せと対応する特定図柄を前記配列図柄表示領域６１内に明示箇所ＣＬとして明示すると共に、当該明示された特定図柄が有効ラインＥ８からなる所定の組合せとなった場合、賞価値を付与可能に移行制御する。【選択図】      図１６
2004229805.tif 000002
【特許請求の範囲】
【請求項１】
複数の可変図柄を可変表示させる可変図柄表示領域と、
前記可変表示する複数の可変図柄に対応する複数の特定図柄が配列された配列図柄表示領域とを備えた遊技機において、
前記可変表示領域内の前記複数の可変図柄が各々独立して図柄変動した後、所定の可変図柄組合せで停止した場合のみ、前記停止した所定の可変図柄組合せと対応する前記特定図柄を前記配列図柄表示領域内に明示すると共に、前記明示された特定図柄が所定の組合せとなった場合、賞価値を付与可能に移行制御することを特徴とする遊技機。
【請求項２】
前記停止した所定の可変図柄組合せにあっては、複数の可変図柄が全て同一であることを特徴とする請求項１に記載の遊技機。
【請求項３】
前記停止した所定の可変図柄が３個以上からなる組合せにあっては、当該停止した所定の可変図柄のうち同一図柄が他の図柄よりも多いことを特徴とする請求項１に記載の遊技機。
【請求項４】
前記停止した所定の可変図柄組合せにあっては、複数の可変図柄が全て異なり、かつ特定の組合せ態様であることを特徴とする請求項１に記載の遊技機。
【請求項５】
前記可変図柄と前記特定図柄が全て一対一で対応していることを特徴とする請求項１ないし４のいずれか１項に記載の遊技機。
【請求項６】
前記明示された特定図柄が所定の組合せであるときに、賞価値が付与される特典遊技が実行されることを特徴とする請求項１ないし５のいずれか１項に記載の遊技機。
【請求項７】
前記特定図柄は配列図柄表示領域内にマトリックス状に配置され、前記明示された特定図柄の成す所定の組合せ態様が、縦、横、斜めからなるいずれかの有効ラインを形成することを特徴とする請求項１ないし６のいずれか１項に記載の遊技機。
【請求項８】
前記有効ラインをｎ本と、前記特典遊技が実行可能となるために当該有効ライン上に明示される特定図柄をｍ個備える遊技機において、
前記遊技機はｎ個のフラグ領域を有すると共に、前記各フラグ領域は少なくともｍビットのビットデータから構成され、当該ビットデータ中の各ビット値は前記特定図柄に対応し、前記特定図柄の明示に連動して前記ビットデータ中のビット値を変化させることによって、
いずれの特定図柄が前記有効ライン上に明示されているのか及び当該特定図柄の明示が前記所定の組合せ態様に形成されているのかを前記ビットデータ中の個々のビット値より認識されることを特徴とする請求項１ないし７のいずれか１項に記載の遊技機。
【請求項９】
前記特定図柄の前記配列図柄表示領域内における明示は前記特典遊技が実行されるまで継続されることを特徴とする請求項１ないし８のいずれか１項に記載の遊技機。
【請求項１０】
前記可変表示領域と前記配列図柄表示領域は互いに区画されることを特徴とする請求項１ないし９のいずれか１項に記載の遊技機。
【請求項１１】
前記遊技機には遊技球が流下する遊技領域と、前記遊技領域内に前記可変表示領域と、前記配列図柄表示領域と、遊技球の入球する入球領域が設けられ、遊技球の入球領域への入球に起因して前記可変表示領域において前記複数の可変図柄が可変表示を開始し、前記複数の可変図柄が前記所定の可変図柄組合せで停止した場合、当該停止した可変図柄に対応する特定図柄を利用してビンゴゲームが行われることを特徴とする請求項１ないし１０のいずれか１項に記載の遊技機。
【発明の詳細な説明】
【０００１】
【発明の属する技術分野】
本発明は、パチンコ遊技機やアレンジボール遊技機、あるいはスロットマシンに代表されるコイン遊技機等の遊技機に関する。
【０００２】
【従来の技術】
従来、パチンコ遊技機等の遊技機は、特定入賞口への遊技球の入球あるいは特定通過ゲートへの遊技球の通過等の判定条件成立に起因して、当たり外れを判定し、その判定結果が当たりである場合に「大当たり」と称される所定の特別遊技（大当たり遊技、特典遊技とも称される）を実行するものが一般的である。このような遊技機においては、数字や記号あるいは絵等からなる複数の判定図柄（特別図柄あるいは可変図柄と称される）を変動及び停止表示する液晶、ドットマトリックスもしくはＬＥＤ表示装置等の表示装置を遊技盤面に備えている。
【０００３】
前記表示装置を用いて各種判定図柄のスクロール等の変動表示を行うことによって、適宜の判定図柄の組合せを構成し、遊技の当否判定を表示していた。そのような遊技機の表示装置において、従前のスクロール等を利用した判定図柄の変動表示に斬新さを付加すべく、表示装置内に格子状に配置された数字等を適宜表示し、縦や横等の一直線に並ぶか否かの遊技（いわゆる、ビンゴゲーム）を行う遊技機（例えば、特許文献１参照。）がある。さらには、数字等からなる判定図柄が変動を停止した際、当該停止判定図柄を用いて前述のビンゴゲームのような演出を行い、判定図柄の変動遊技とビンゴゲームとを組合せた遊技機（例えば、特許文献２参照。）が存在する。
【０００４】
しかしながら、従来のビンゴゲーム等の組合せ遊技が可能な遊技機において、判定図柄の大当たりを意味する例えばぞろ目等の図柄組合せで表示される判定図柄の数字等と、格子状に配列されたビンゴゲームに用いられる数字等とは、直接結びつくものではなかった。
【０００５】
このため、双方の遊技内容同士の関連性は弱まり、また、必要以上に複雑化しがちであった。従って、遊技者に判定図柄の変動遊技とビンゴゲーム等の組合せ遊技との関わりを明確にして遊技を楽しむことができる遊技機が切望されていた。
【０００６】
【特許文献１】
特開平９−１５５００８号公報（第４頁、第３−７図）
【特許文献２】
特開２００１−３２１５０４号公報（第４，５頁、第８−１０図）
【０００７】
【発明が解決しようとする課題】
本発明は、上記の事情に鑑み提案されたものであり、判定図柄（可変図柄）の変動遊技による当たりとビンゴゲーム等との関連性を明確化することによって、遊技者が相互の遊技一体化して楽しむことができる趣向性の高い遊技機を提供するものである。
【０００８】
【課題を解決するための手段】
すなわち、請求項１の発明は、複数の可変図柄を可変表示させる可変図柄表示領域と、前記可変表示する複数の可変図柄に対応する複数の特定図柄が配列された配列図柄表示領域とを備えた遊技機において、前記可変表示領域内の前記複数の可変図柄が各々独立して図柄変動した後、所定の可変図柄組合せで停止した場合のみ、前記停止した所定の可変図柄組合せと対応する前記特定図柄を前記配列図柄表示領域内に明示すると共に、前記明示された特定図柄が所定の組合せとなった場合、賞価値を付与可能に移行制御することを特徴とする遊技機に係る。
【０００９】
また、請求項２の発明は、前記停止した所定の可変図柄組合せにあっては、複数の可変図柄が全て同一であることを特徴とする請求項１に記載の遊技機に係る。
【００１０】
さらに、請求項３の発明は、前記停止した所定の可変図柄が３個以上からなる組合せにあっては、当該停止した所定の可変図柄のうち同一図柄が他の図柄よりも多いことを特徴とする請求項１に記載の遊技機に係る。
【００１１】
請求項４の発明は、前記停止した所定の可変図柄組合せにあっては、複数の可変図柄が全て異なり、かつ特定の組合せ態様であることを特徴とする請求項１に記載の遊技機に係る。
【００１２】
請求項５の発明は、前記可変図柄と前記特定図柄が全て一対一で対応していることを特徴とする請求項１ないし４のいずれか１項に記載の遊技機に係る。
【００１３】
請求項６の発明は、前記明示された特定図柄が所定の組合せであるときに、賞価値が付与される特典遊技が実行されることを特徴とする請求項１ないし５のいずれか１項に記載の遊技機に係る。
【００１４】
請求項７の発明は、前記特定図柄は配列図柄表示領域内にマトリックス状に配置され、前記明示された特定図柄の成す所定の組合せ態様が、縦、横、斜めからなるいずれかの有効ラインを形成することを特徴とする請求項１ないし６のいずれか１項に記載の遊技機に係る。
【００１５】
請求項８の発明は、前記有効ラインをｎ本と、前記特典遊技が実行可能となるために当該有効ライン上に明示される特定図柄をｍ個備える遊技機において、前記遊技機はｎ個のフラグ領域を有すると共に、前記各フラグ領域は少なくともｍビットのビットデータから構成され、当該ビットデータ中の各ビット値は前記特定図柄に対応し、前記特定図柄の明示に連動して前記ビットデータ中のビット値を変化させることによって、いずれの特定図柄が前記有効ライン上に明示されているのか及び当該特定図柄の明示が前記所定の組合せ態様に形成されているのかを前記ビットデータ中の個々のビット値より認識されることを特徴とする請求項１ないし７のいずれか１項に記載の遊技機に係る。
【００１６】
請求項９の発明は、前記特定図柄の前記配列図柄表示領域内における明示は前記特典遊技が実行されるまで継続されることを特徴とする請求項１ないし８のいずれか１項に記載の遊技機に係る。
【００１７】
請求項１０の発明は、前記可変表示領域と前記配列図柄表示領域は互いに区画されることを特徴とする請求項１ないし９のいずれか１項に記載の遊技機に係る。
【００１８】
請求項１１の発明は、前記遊技機には遊技球が流下する遊技領域と、前記遊技領域内に前記可変表示領域と、前記配列図柄表示領域と、遊技球の入球する入球領域が設けられ、遊技球の入球領域への入球に起因して前記可変表示領域において前記複数の可変図柄が可変表示を開始し、前記複数の可変図柄が前記所定の可変図柄組合せで停止した場合、当該停止した可変図柄に対応する特定図柄を利用してビンゴゲームが行われることを特徴とする請求項１ないし１０のいずれか１項に記載の遊技機に係る。
【００１９】
【発明の実施の形態】
以下添付の図面に基づき本発明の好適な実施形態を説明する。図１は本発明の一実施例に係る遊技機全体の正面図、図２は同遊技機の遊技盤の正面図、図３は同遊技機のシステム制御を簡略に示すブロック図、図４は同遊技機の表示制御を簡略に示すブロック図である。
【００２０】
本実施例において、語句の対応は以下の通りである。
可変図柄とは、図１５等に表す画像表示部５１（可変図柄表示領域に相当）に可変表示されるＶＬ，ＶＭ，ＶＲである。
特定図柄とは、図１５等に表す配列図柄表示部６１（配列図柄表示領域に相当）に配列されるＺ１〜Ｚ９である。
有効ラインとは、図１５等に表す配列図柄表示部６１上に形成される縦、横、斜めの直線Ｅ１〜Ｅ８であり、特定図柄の明示により形成されるものである。
特典遊技とは、実施例における大当たり遊技を示し、大入賞口の開閉、賞品球として遊技球が払い出される等の賞価値が付与される遊技状態である。
入球領域とは、図１及び図２に表す始動入賞口１０である。
なお、請求項の語句と本実施例の語句との対応は、以上の通りであるが、本実施例は請求項の一実施例であり、請求項の内容が以下の実施例に限定されるものではない。
【００２１】
図１及び図２に示す遊技機（ここではパチンコ遊技機）１は、遊技盤３の縁に遊技球の外側誘導レール４及び内側誘導レール５が略円形に立設され、前記内側誘導レール５によって囲まれた遊技領域６の中心線上にその上部から下部に向かって順に表示装置９、始動入賞口１０及び可動部材１１ａ，１１ｂ、特別電動役物である大入賞口１５、アウト口１７が配設される。前記表示装置９の両側に普通図柄変動開始用左ゲート１９及び普通図柄変動開始用右ゲート２１、その左右下方に左袖入賞口２３と右袖入賞口２５、さらには前記大入賞口１５の両側に左落とし入賞口２７と右落とし入賞口２９が配設されている。前記種々の入賞口に遊技球が入賞すると所定数の遊技球が賞品球として払い出される。また、後に詳述する特定の条件で大当たり遊技、この例では大当たりとなると大入賞口１５が開放され、遊技球が入賞し易い状態となる。また、左，右普通図柄変動開始用ゲート１９，２１においては遊技球通過の検出信号により、普通図柄（図示せず）が所定値となった場合、始動入賞口１０（可動部材１１ａ，１１ｂ）が拡開状態となる。
【００２２】
前記遊技盤３の前面側には、払い出された遊技球を受けるための上側球受け皿３２、該上側球受け皿３２を取り付けるための取付板３３、前記上側球受け皿３２の飽和時に遊技球を受けるための下側球受け皿３４、遊技状態を報知するランプ表示器３５，３６及び飾りランプ３９Ｌ，３９Ｒ、音声や効果音を発して遊技状態を遊技者に報知するスピーカ３７、遊技者の発射ハンドルＨがそれぞれ組み付けられている。符号２は遊技機の機枠である。次に所要の各部についてさらに詳述する。
【００２３】
前記表示装置９には、液晶、ドットマトリックスもしくはＬＥＤ表示装置等の表示装置からなる図柄表示装置５０と、特定図柄を適宜発光点灯により明示可能にする配列図柄表示装置６０が設けられる。実施例では、窓枠部４９内にカラー表示可能な液晶表示器（ＴＦＴ−ＬＣＤモジュール）等からなる画像表示部（可変図柄表示領域）５１が設けられている。前記画像表示部５１は、複数の数字、アルファベット、記号あるいは絵（キャラクタ）等からなる図柄（実施例においては複数の可変図柄）を可変表示する表示手段に相当する。また、前記窓枠部４９内において、配列図柄表示装置６０は、アクリル樹脂、ガラス等の透光性を有する透光部材に複数の特定図柄が配列して記載された配列図柄表示部６１（配列図柄表示領域）とその裏面より照らすＬＥＤ（図示せず）より構成される。実施例では、遊技者の視認性を考慮して画像表示部（可変図柄表示領域）５１と配列図柄表示部６１（配列図柄表示領域）は、互いに区画して形成される。前記配列図柄表示装置６０は、図柄表示装置５０と同様に表示手段に相当する。
【００２４】
さらに、前記表示装置９にはＬＥＤ等からなる普通図柄保留記憶数表示器４７が設けられる。普通図柄保留記憶数表示器４７は、前記左，右普通図柄変動開始用ゲート１９，２１を遊技球が通過することによって取得する図柄変動停止に係わる情報（乱数値）を、現在変動中のものを除いて保留記憶数（この例では最高４回）を表示するものである。
【００２５】
また、前記遊技盤３の背面には、始動入賞口１０に入賞（入球）した遊技球を検出する可変図柄変動開始スイッチ（図示せず）が入賞球の通路に設けられており、該入賞球の検出によって前記図柄表示装置５０の図柄変動を開始するようになっている。その際、可変図柄変動中に始動入賞口１０に入賞した遊技球の個数、すなわち可変図柄の変動を開始する回数については、保留記憶数（この例では最高４回）を、前記可変図柄保留記憶数表示器４８に表示し、記憶数の減少によって前記表示器４８の表示個数を減らす（色を変化させる）ようになっている。
【００２６】
図１５等に表す通り、前記画像表示部５１は、可変図柄のうち、左可変図柄を表示する左可変図柄表示領域５１ｌ、中可変図柄を表示する中可変図柄表示領域５１ｍ、右可変図柄を表示する右可変図柄表示領域５１ｒに三分割され、それぞれの図柄表示領域には、識別可能な図柄を構成するそれぞれの可変図柄が個々独立して変動（可変）及び停止表示可能とされている。前記可変図柄は、図１５等に示すように、『‘１’，‘２’，‘３’，‘４’，‘５’，‘６’，‘７’，‘８’，‘９’』の９通りで構成されている。なお、前記画像表示部５１の左端には、普通図柄表示領域４１が設けられ、普通図柄（図示せず）が変動表示及び停止表示される。
【００２７】
前記画像表示部５１内で特別図柄が変動中には、可変図柄の背後に図示はしないが建物、風景、人物、動物、植物、物、文字等の背景画像が表示され、可変図柄の変動及び停止の表示が効果的に演出される。
【００２８】
併せて、図１５等に表す通り、配列図柄表示部６１（配列図柄表示領域）内には、『‘１’，‘２’，‘３’，‘４’，‘５’，‘６’，‘７’，‘８’，‘９’』の９通りの特定図柄が、「３行３列の行列」を成したマトリックス状に配置される。前記配列図柄表示部６１内には、縦、横、斜めからなる８本の有効ラインＥ１〜Ｅ８が設定され、各有効ラインには、３個の特定図柄が包含される。
実施例において、左，中，右可変図柄がぞろ目として停止表示された場合に可変図柄と同一の特定図柄が明示される。例えば、左，中，右可変図柄が『５５５』のぞろ目である場合、特定図柄『５』が明示され、大当たり遊技（特典遊技）が実行されるまで、その明示は継続される。
【００２９】
前記始動入賞口１０は表示装置９の真下に設けられ、実施例の遊技機における入球領域に相当する。当該始動入賞口１０には、２つの駆動部材１１ａ，１１ｂが背面の始動入賞口用ソレノイドによって通常状態である略垂直の狭小開放状態と略Ｖ字形の拡大開放状態の間を変化可能に駆動制御されている。前記始動入賞口１０の拡大開放は、前記普通図柄表示領域４１の普通図柄が変動停止して特定の普通図柄が表示された普通図柄当たりとなったときに行われる。実施例では、遊技状態時における普通図柄表示領域４１の停止普通図柄が当たりである特定図柄の場合には、０．５秒間の始動入賞口１０の拡大開放を１回行う。
【００３０】
前記左，右普通図柄変動開始用ゲート１９，２１は表示装置９の両側に設けられ、普通図柄変動開始スイッチを備え、該普通図柄変動開始スイッチで両通過ゲート１９，２１を通過する遊技球を検出することによって前記普通図柄表示領域４１の普通図柄の変動を開始させるようになっている。また、前記左袖入賞口２３と右袖入賞口２５の入賞球を検出する左袖入賞口用検出スイッチと右袖入賞口用検出スイッチ、前記左落とし入賞口２７と右落とし入賞口２９の入賞球を検出する左落とし入賞口用検出スイッチと右落とし入賞口用検出スイッチが、図示はしないがそれぞれ対応する遊技盤背面に設けられている。
【００３１】
前記大入賞口１５は始動入賞口１０の下方に設けられ、大入賞口開放用ソレノイドと該ソレノイドによって開閉する開閉板１０１とを備えている。この大入賞口１５は、通常は開閉板１０１が閉じた状態とされ、当該大入賞口１５の内部には、該大入賞口１５の開放と同時に開放して入賞可能にする特定領域入賞口１０３を有する。さらに、該特定領域入賞口１０３には、所定条件時に特定領域開放用ソレノイドにより開閉される開閉扉（図示せず）が設けられている。また、前記特定領域入賞口１０３には特定入賞球を検出する特定入賞球検出スイッチが設けられ、該入賞球の検出により大入賞口１５を再度開ける継続権利が成立するようにされている。また、大入賞口１５内の略中央には、前記大入賞口１５に入賞しかつ前記特定領域入賞口１０３に入賞しなかった入賞球を検出する入賞球数カウントスイッチが設けられている。
【００３２】
前記図柄表示装置５０、つまり、中当たり成立時の動作について説明する。前記のように始動入賞口１０に遊技球が入賞（入球）し、可変図柄変動開始スイッチによって入賞球が検出されると、前記特別図柄変動開始スイッチにより入球信号が後述する図３に示すメイン制御回路７０へ送られ、それに伴ってメイン制御回路７０のラベル−ＴＲＮＤ−Ａ等の各種乱数値（Ｑ１等）が取得（抽出）され、その取得数値がメイン制御回路７０のＲＡＭの可変図柄乱数記憶領域等に一旦格納される。そして、当該格納された各数値に基づいて大当たりの判定、リーチの有無決定、可変図柄の変動・停止パターン、可変図柄の停止図柄組合せの決定（作成）等が行われ、前記図柄表示装置５０における画像表示部５１の各所定表示領域で可変図柄の変動を開始する。前記メイン制御回路７０は、遊技機１のメイン制御を行うメイン制御手段に相当するものである。
【００３３】
前記可変図柄は、変動開始から所定時間（この例では最低約５秒から最高５０秒）変動後、停止可変図柄として画像表示部５１（図１５等に図示）に確定停止表示される。実施例中の１つの変動態様では、まず、左可変図柄表示領域５１ｌ、中可変図柄表示領域５１ｍ、右可変図柄表示領域５１ｒにおいて前記可変図柄が変動を開始し、左可変図柄表示領域、右可変図柄表示領域、中可変図柄表示領域の順に可変図柄が変動停止して停止図柄として確定停止表示される。その際、決定された可変図柄の表示態様等によっては、リーチ状態が成立することがある。
【００３４】
ここで、リーチ状態とは、画像表示部５１の左，中，右可変図柄表示領域において、可変図柄の変動表示が開始された後、表示制御が進行して表示結果が停止表示される前段階において、特定の表示態様、つまり大当たり図柄の組合せ（同一図柄の組合せ）が表示され易い可変表示態様となったと遊技者に思わせるための表示態様をいう。この実施例では、リーチ状態の１つとして、前記画像表示部５１の左，中，右可変図柄表示領域のうち、最終停止図柄（ここでは中可変図柄）を表示する表示領域（ここでは中可変図柄表示領域）だけを残して、残りの２つの表示領域で図柄が特定の組合せ（例えば同一図柄）となるように仮停止するリーチ変動表示処理がなされている。
【００３５】
また、前記リーチ状態時には、前記画像表示部５０における可変図柄（主に最終停止可変図柄）の変動時間を長くしたり、前記画像表示部５０における可変図柄を利用した図柄利用演出や可変図柄の背後に表示されるキャラクタや背景等を表示してリーチアクションが演出されるようになっている。なお、前記リーチ状態になる前に、該リーチ状態になる可能性又は大当たりになる可能性が高いことを報知する予告（予兆）が演出されるようにしてもよい。前記予告としては、画像表示部５０上へのキャラクタの表示や残像表示等が挙げられる。
【００３６】
前記停止図柄（確定停止した可変図柄）の組合せが、同一図柄等の組合せからなる当たり図柄組合せ（ぞろ目）となると、中当たり状態を意味する中当たり遊技に移行する。前記中当たり状態になると、所定の賞品球の払い出しが行われると共に、前記配列図柄表示部６１内で可変図柄と一対一で対応する特定図柄（実施例にあっては可変図柄『１』と特定図柄『１』のように一致する図柄同士）がＬＥＤの点灯により明示される。
【００３７】
前述の中当たりを何回か経ることにより、特定図柄が少なくとも３個以上明示され、所定の組合せとして図１５等に示す８本の有効ラインのいずれか１本を形成した場合、ビンゴゲームは成立する。これに続き、前記大入賞口１５の開閉板１０１が開いて遊技領域６表面を落下してくる遊技球を受け止め、大入賞口１５へ入賞可能にし、該大入賞口１５への入賞があると、賞球払出装置により所定数の遊技球が賞品球として払い出される等の賞価値の付与可能な特典遊技（実施例における大当たり遊技）に移行制御される。
【００３８】
前記開閉板１０１は、所定時間（例えば２９．５秒）経過後、あるいは入賞球数カウントスイッチで検出された入賞球数が所定個数（例えば１０個）となった時点で一旦閉じ、大入賞口への入賞球数を正確（例えば１０個）に計測するようにされている。このような、前記開閉板１０１の開放に伴う遊技球が入賞し易くなる状態と開閉板１０１が閉鎖される状態とは組み合わされて、１回のラウンドとして数えられる。実施例の遊技機における大当たり遊技（特典遊技）では、前記ラウンドは所定最高回数（１５回）実行される。なお、前記入賞球数カウントスイッチで検出された入賞球数は、図柄表示装置５０の画像表示部５１に、０〜１０までの数字又は棒グラフのように表示されるようになっている。
【００３９】
実施例では、通常の始動入賞口１０への入賞（入球）に起因する可変図柄の変動表示（例えば、リーチ態様）及び特定図柄の明示態様（例えば、ビンゴゲーム成立）に対し、これに関係する音声の発生及び発光が行われ、遊技の演出効果を高めている。
【００４０】
図３に示すメイン制御回路（主制御手段）７０は、ＣＰＵ，ＲＡＭ，ＲＯＭを備えたコンピュータと、該コンピュータから送信された制御信号を受信し、その制御信号に基づいて所定の処理を行う表示制御回路（サブ制御手段）９０等を結ぶ入出力回路と、前記コンピュータと大入賞口１５に接続される中継回路等を結ぶ入出力回路等で構成される。実施例において、前記メイン制御回路７０は、賞価値を付与可能に移行制御する賞価値付与移行制御手段に相当する。
【００４１】
前記メイン制御回路７０におけるＣＰＵは、制御部，演算部，各種カウンタ，各種レジスタ，各種フラグ等を備え、演算制御を行う他、必要に応じて中当たりの発生確率や小当たり（実施例においては、始動入賞口１０の拡開開放を行う普通図柄当たり）の発生確率を定める乱数等を生成することもある。また、前記ＲＡＭは、可変図柄変動開始スイッチ（図示せず）の検出信号及び普通図柄変動開始スイッチ（図示せず）の検出信号用の記憶領域，ＣＰＵで生成される各種乱数値用の記憶領域，各種データを一時的に記憶する記憶領域やフラグ領域，ＣＰＵの作業領域，各種バッファを備えている。さらに、前記ＲＯＭには、遊技上の制御プログラムや制御データが書き込まれている他、後述する各遊技状態における大当たり及び小当たりの判定値等が書き込まれている。また、前記普通図柄表示領域４１における図柄変動の制御は、メイン制御回路７０によって行われる。なお、図３中の符号１０５は賞球払出装置、１０６は球貸装置である。
【００４２】
表示制御回路９０は、遊技機１の表示制御手段、仮停止表示制御手段、演出表示制御手段等に相当し、表示装置９（特に画像表示部５１）に表示される遊技画像（可変図柄の他、図示はしないが普通図柄，背景画像，キャラクタ画像，文字画像等が含まれる。）の表示制御を行うためのものである。前記表示制御回路９０にもメイン制御回路と同様にＣＰＵ，ＲＡＭ，ＲＯＭを備えたコンピュータ及び入出力回路等が適宜備えられ、メイン制御回路の指令に基づいて各種演算が実行されて遊技画像が作成される。
【００４３】
さらに、配列図柄明示制御回路８０は、遊技機１の表示制御手段に相当し、特定図柄の配列図柄表示部６１への明示（ＬＥＤ点灯）を制御するものである。前記配列図柄明示制御回路９０にもメイン制御回路と同様にＣＰＵ，ＲＡＭ，ＲＯＭを備えたコンピュータ及び入出力回路等が適宜備えられ、メイン制御回路の指令に基づいて各種演算が実行されて特定図柄が明示（特定図柄に該当する箇所のＬＥＤが点灯）される。
【００４４】
前出の回路の他に、報知するランプ表示器３５，３６、飾りランプ３９Ｌ，３９Ｒ等の各種発光体を制御する発光制御回路、スピーカ３７の音声の発生を制御する音声制御回路等等が設けられる。
【００４５】
この実施例における前記メイン制御回路７０のＣＰＵの主なカウンタとしては、表１に示すような６種類のカウンタがある。各カウンタの所定時に取得された数値は、メイン制御回路７０のＲＡＭに最高４個まで格納される。なお、前記ＲＡＭに記憶された各カウンタの数値は、該カウンタに基づく一連の遊技動作処理された後にクリアされる。各カウンタの作動については次に示す。
【００４６】
【表１】
2004229805.tif 000003
【００４７】
ラベル−ＴＲＮＤ−Ａは、中当たり及び外れを判定する乱数カウンタであり、当該遊技機１における中当たり当否判定手段に相当するものである。このラベル−ＴＲＮＤ−Ａは、遊技機１の電源投入時、‘０’から始まり、所定の割り込み時間（例えば４ｍｓｅｃ）毎に１ずつ加算され、数値が‘４９’に至ると、再び‘０’に戻って前記加算を繰り返すようになっている。ラベル−ＴＲＮＤ−Ａの数値は、遊技球が始動入賞口１０に入賞（入球）して可変図柄変動開始スイッチによって検出されたときに取得され、予め決定されている中当たり数値、実施例では‘５’と対比され、中当たりか否か判断される。また、当否の判定が終了するまでの間に、遊技球が始動入賞口１０に入賞してラベル−ＴＲＮＤ−Ａの数値が再び取得されることがあるため、ラベル−ＴＲＮＤ−Ａの記憶取得値（更新取得数値）は、現在判定中の取得値を含めず最大４個が、前記メイン制御回路７０のＲＡＭに一旦格納され、順次判定に供される。
【００４８】
ラベル−ＴＲＮＤ−Ｒ１は、前記ラベル−ＴＲＮＤ−Ａによる中当たり当否判定結果が外れとなる場合において、リーチ状態となるか否かを決定するものであり、具体的には前記画像表示部５１の左，中，右可変図柄表示領域５１ｌ，５１ｍ，５１ｒのうち、最終停止図柄表示領域（この例では中可変図柄表示領域）だけを残して、残りの２つの表示領域において可変図柄が特定の組合せ（この例では同一図柄）で仮停止表示（停止表示）されるか否かを決定するものである。ここで、前記仮停止表示とは、リーチにおいて可変図柄が一旦停止表示されたと遊技者に思わせるが、まだ図柄変動中であること、つまり、まだ全可変図柄が確定停止されていないことを示す変動表示である。
【００４９】
このラベル−ＴＲＮＤ−Ｒ１は、遊技機１の電源投入時、‘０’から始まり、前記割り込み時間毎に１ずつ加算され、数値が‘４９’になると、再び‘０’に戻って前記加算を繰り返すようになっている。当該ラベル−ＴＲＮＤ−Ｒ１の数値は、前記始動入賞口１０への入賞（入球）が可変図柄変動開始スイッチによって検出されたときに取得され、中当たり当否判定結果が外れの場合に、その数値が予め決定されているリーチ成立数値と対比されてリーチ状態成立か否か判断される。この実施例では、前記リーチ成立数値は‘２４’又は‘４９’となっており、ラベル−ＴＲＮＤ−Ｒ１の取得数値が当該リーチ成立数値となった場合には、可変図柄においてリーチ状態が成立する。当該ラベル−ＴＲＮＤ−Ｒ１の取得数値は、メイン制御回路７０のＲＡＭに所定数、この例では、決定中の数値を含めず最大４個まで格納される。なお、この実施例では、前記ラベル−ＴＲＮＤ−Ａによる大当たり当否判定結果が大当たりとなる場合、必ず可変図柄にはリーチ状態が成立するようになっているので、このラベル−ＴＲＮＤ−Ｒ１は使用されない。
【００５０】
ラベル−ＴＲＮＤ−ＡＺ１は、中当たり成立時、前記画像表示部５１における左可変図柄表示領域５１ｌ、中可変図柄表示領域５１ｍ、右可変図柄表示領域５１ｒに確定停止して揃う確定大当たり停止可変図柄組合せを決定するものである。ラベル−ＴＲＮＤ−ＡＺ１は、電源投入時に‘０’から始まって前記割り込み時間毎に‘１’ずつ加算され、‘８’に至ると再び‘０’に戻る繰り返しを行う。ラベル−ＴＲＮＤ−ＡＺ１の数値は、前記始動入賞口１０への入賞（入球）が可変図柄変動開始スイッチによって検出されたときに取得され、変動表示中の図柄に対するものを含めず最大４個までメイン制御回路７０のＲＡＭの可変図柄乱数記憶領域に格納される。前記ラベル−ＴＲＮＤ−ＡＺ１の数値には、各数値に対応する確定大当たり停止図柄組合せ（可変図柄組合せ）が予め割り当てられている。実施例においては、‘０’の場合には『１１１』、‘１’の場合には『２２２』、‘２’の場合には『３３３』、‘３’の場合には『４４４』、‘４’の場合には『５５５』、‘５’の場合には『６６６』、‘６’の場合には『７７７』、‘７’の場合には『８８８』、‘８’の場合には『９９９』を確定中当たり停止図柄組合せとして最終的に確定停止表示する。
【００５１】
ラベル−ＴＲＮＤ−Ｂ１〜Ｂ３は、前記ラベル−ＴＲＮＤ−Ａによる中当たり当否判定結果が外れとなる場合において、画像表示部５１に確定停止表示する外れ可変図柄組合せの決定に用いられるものである。可変図柄組合せにあっては、前記ラベル−ＴＲＮＤ−Ｂ１は左可変図柄表示領域５１ｌにおける左可変図柄、ラベル−ＴＲＮＤ−Ｂ２は右可変図柄表示領域５１ｒにおける右可変図柄、ラベル−ＴＲＮＤ−Ｂ３は中可変図柄表示領域５１ｍ（最終停止図柄表示領域）における中可変図柄にそれぞれ対応する。
【００５２】
前記ラベル−ＴＲＮＤ−Ｂ１は、電源投入時に‘０’から始まって前記割り込み時間毎に‘１’ずつ加算され、‘８’に至った後、再び‘０’から始まって加算が繰り返される。また、前記ラベル−ＴＲＮＤ−Ｂ２は、電源投入時に‘０’から始まって、前記ラベル−ＴＲＮＤ−Ｂ１の数値が再び‘０’に戻る際に‘１’ずつ加算され、‘８’に至った後、再び‘０’から始まって加算が繰り返される。さらに、前記ラベル−ＴＲＮＤ−Ｂ３は、電源投入時に‘０’から始まって、前記ラベル−ＴＲＮＤ−Ｂ２の数値が再び‘０’に戻る際に‘１’ずつ加算され、‘８’に至った後、再び‘０’から始まって加算が繰り返される。これによって、ラベル−ＴＲＮＤ−Ｂ１〜Ｂ３の各乱数範囲が同一であっても、当該ラベル−ＴＲＮＤ−Ｂ１〜Ｂ３が同期（同一の組合せで加算）するのを避けることができる。
【００５３】
前記ラベル−ＴＲＮＤ−Ｂ１〜Ｂ３の数値には、各数値に対応する図柄が予め割り当てられている。この実施例では、ラベル−ＴＲＮＤ−Ｂ１〜Ｂ３の各取得数値に対し、数値が‘０’の場合には『１』、‘１’の場合には『２』、‘２’の場合には『３』、‘３’の場合には『４』、‘４’の場合には『５』、‘５’の場合には『６』、‘６’の場合には『７』、‘７’の場合には『８』、‘８’の場合には『９』が割り当てられている。そして、前記可変図柄変動開始スイッチによって入球が検出される毎にラベル−ＴＲＮＤ−Ｂ１〜Ｂ３から取得される数値の組合せによって、外れ時に画像表示部５１に表示される確定停止図柄が定まる。また、ラベル−ＴＲＮＤ−Ｂ１〜Ｂ３の取得数値は、メイン制御回路７０のＲＡＭに所定数、この例では、変動表示中の外れ可変図柄組合せに対する数値を含めず最大４個まで格納される。
【００５４】
この実施例では、外れの際にラベル−ＴＲＮＤ−Ｂ１〜Ｂ３の全ての数値が一致し、かつラベル−ＴＲＮＤ−Ｒ１の数値によりリーチ状態が成立する場合には、ラベル−ＴＲＮＤ−Ｂ３の数値に１加算し、その値とラベル−ＴＲＮＤ−Ｂ１，Ｂ２の数値に割り当てられている各可変図柄が確定停止表示されるようになっている。また、外れの際にラベル−ＴＲＮＤ−Ｂ１〜Ｂ３の全ての数値が一致し、かつリーチ状態が成立しない場合、及びラベル−ＴＲＮＤ−Ｂ１，Ｂ２の２つの数値が一致し（ラベル−ＴＲＮＤ−Ｂ３の数値は異なる。）、かつリーチ状態が成立しない場合には、ラベル−ＴＲＮＤ−Ｂ２の数値に１加算し、その値とラベル−ＴＲＮＤ−Ｂ１，Ｂ３の数値に割り当てられている各可変図柄が確定停止表示されるようになっている。さらに、外れの際にラベル−ＴＲＮＤ−Ｒ１の数値によりリーチ状態が成立するにも係わらず、ラベル−ＴＲＮＤ−Ｂ１とＢ２の数値が一致しない場合には、ラベル−ＴＲＮＤ−Ｂ２の数値をラベル−ＴＲＮＤ−Ｂ１の数値と同一数値に変更すると共に、ラベル−ＴＲＮＤ−Ｂ３の数値を前記ラベル−ＴＲＮＤ−Ｂ１の数値に１加算した数値に変更し、それらの変更した値とラベル−ＴＲＮＤ−Ｂ１の数値に割り当てられている各可変図柄が確定停止表示されるようになっている。
【００５５】
前記メイン制御回路７０、表示制御回路９０に設けられるカウンタとしては、可変図柄の変動時におけるその他の表示態様、例えば、リーチ変動の種類を決定するカウンタ、中当たり又はリーチ状態となる可能性が高いことを報知するための予告を演出するか否かを決定するカウンタ、該予告の態様を決定するカウンタ、確定当たり図柄組合せの確定停止表示前に、画像表示部５１に仮の当たり図柄組合せ（ここではぞろ目）を微妙な揺れ変動等の所定動作態様で仮停止表示し、その後、前記仮停止によって一旦揃った全ての特別図柄を、図柄が揃った状態のまま一緒に所定時間スクロール変動させてから、前記確定当たり図柄組合せを確定停止表示する、所謂再抽選演出を行うか否かを決定するカウンタ、普通図柄とその当否判定を決定するカウンタ等が適宜追加されることがある。
【００５６】
また、前記メイン制御回路７０、表示制御回路９０及び配列図柄明示制御回路８０等に設けられる複数のフラグとしては、大当たりフラグＡ１、中当たりフラグＢ１、リーチフラグＣ１、大当たり遊技実行中フラグＤ１に加え、判定フラグｆ１，ｆ２，ｆ３，ｆ４，ｆ５，ｆ６，ｆ７，ｆ８等が挙げられる。なお、これらのフラグは、初期設定時には全て０にセットされている。
【００５７】
次に、本発明に係る遊技機１において前記メイン制御回路７０が行う一連の処理について、前記カウンタとの関係から詳述する。なお、図３に示したメイン制御回路７０のＣＰＵは、割り込み時間（４ｍｓｅｃ）毎にメイン制御回路７０のＲＯＭに記憶されている各プログラム（メインルーチン）を実行する。
【００５８】
図４のフローチャートから理解されるように、メイン処理Ｍにおいては、まず、電源投入がなされたか否か確認されてから（Ｓ１０）、初期設定（Ｓ２０）、出力処理（Ｓ３０）、入力処理（Ｓ４０）、乱数更新処理（Ｓ５０）、始動入賞口１０への入球確認（Ｓ６０）、乱数取得処理（Ｓ７０）、中当たり当否判定条件（可変図柄始動条件）成立の確認（Ｓ８０）、中当たり当否判定及び中当たり設定処理（Ｓ９０）、リーチ決定処理（Ｓ１００）、可変図柄決定処理（Ｓ１１０）、特定図柄明示決定処理（Ｓ１３０）、大当たり当否判定及び大当たり設定処理（Ｓ１４０）、大当たり遊技実行処理（Ｓ１５０）、その他の処理（Ｓ２００）が行われる。
【００５９】
初期設定（Ｓ２０）では、スタックの設定、定数設定、ＣＰＵの設定、ＳＩＯ，ＰＩＯ，ＣＴＣの設定等を行う。なお、電源投入時のみに必要な処理は１順目のみに実行され、後は実行されることがない。
【００６０】
出力処理（Ｓ３０）では、図５のフローチャートから理解されるように、前記メイン制御回路７０のＲＡＭ中の出力バッファ内に出力データの有無が確認され（Ｓ３１）、出力データがある場合には、当該出力バッファ内の出力データが出力される（Ｓ３２）。出力データがない場合には、データの出力は行われず終了する。なお、前記出力データには、停止図柄指定コマンド、明示図柄指定コマンド等があり、各コマンドは、表示制御回路９０、配列図柄明示制御回路８０、音声制御回路、発光制御回路等に送信される。
【００６１】
入力処理（Ｓ４０）では、始動入賞口１０、左，右普通図柄変動開始用ゲート１９，２１、大入賞口１５等に取り付けられたスイッチ（センサ）が遊技球を検出した場合に遊技に関する各種データ等の入力処理が行われる。
【００６２】
乱数更新処理（Ｓ５０）では、図６のフローチャートから理解されるように、各カウンタ（ラベル−ＴＲＮＤ−Ｂ２，Ｂ３を除く。）の各数値Ｑｎ（ｎ＝１〜４）が前記所定時間毎に１ずつ加算され（Ｓ５１）、前記各数値Ｑｎが所定最大値Ｘ（ラベル−ＴＲＮＤ−Ａの場合は４９、ラベル−ＴＲＮＤ−Ｒ１の場合は４９、ラベル−ＴＲＮＤ−ＡＺ１の場合は８、ラベル−ＴＲＮＤ−Ｂ１の場合は８）に至ると次に再び‘０’に戻る繰り返しを行う（Ｓ５２，Ｓ５３）。そして、各カウンタの更新数値がメイン制御回路７０のＲＡＭの各カウンタと対応する乱数記憶エリアにそれぞれ記憶される（Ｓ５４）。図６中における『Ｑｎ’』は、加算（更新）される前の各カウンタの数値を意味する。なお、各カウンタは割り込み時間（４ｍｓｅｃ）毎に１ずつ加算され、ラベル−ＴＲＮＤ−Ｂ２はラベル−ＴＲＮＤ−Ｂ１に連動して数値Ｑ５が加算され、ラベル−ＴＲＮＤ−Ｂ３はラベル−ＴＲＮＤ−Ｂ２に連動して数値Ｑ６が加算され、前記ＲＡＭの乱数記憶エリアにそれぞれ記憶されるようになっている。
【００６３】
前記乱数更新処理（Ｓ５０）の後、始動入賞口１０に入賞（入球）があったか否かが可変図柄変動開始スイッチの検出により確認される（Ｓ６０）。そして、前記始動入賞口１０への入賞ありと判断された場合には、乱数取得処理（Ｓ７０）が実行される。なお、前記Ｓ６０で入賞なしと判断された場合には、乱数取得処理（Ｓ７０）は省略される。
【００６４】
乱数取得処理（Ｓ７０）では、図７のフローチャートから理解されるように、まず、ラベル−ＴＲＮＤ−Ａ，ラベル−ＴＲＮＤ−Ｒ１，ラベル−ＴＲＮＤ−ＡＺ１，ラベル−ＴＲＮＤ−Ｂ１〜Ｂ３の更新数値Ｑｎ（ｎ＝１〜６）が取得され（Ｓ７１）、次いで、前記取得された各数値Ｑｎは、メイン制御回路７０のＲＡＭの取得乱数記憶エリアに各々記憶される（Ｓ７２）。
【００６５】
前記乱数取得処理（Ｓ７０）の後、中当たり当否判定条件が成立しているか否かが確認される（Ｓ８０）。ここで、中当たり当否判定条件が成立しているとは、現在大当たり遊技実行中でない、あるいは可変図柄変動中でないことをいう。
そして、前記中当たり当否判定条件成立と判断された場合には、以降、中当たり当否判定及び中当たり設定処理（Ｓ９０）、リーチ決定処理（Ｓ１００）、可変図柄決定処理（Ｓ１１０）、特定図柄明示決定処理（Ｓ１３０）、大当たり当否判定及び大当たり設定処理（Ｓ１４０）、大当たり遊技実行処理（Ｓ１５０）、その他の処理（Ｓ２００）が行われる。一方、前記Ｓ８０で中当たり当否判定条件不成立と判断された場合は、大当たり当否判定及び大当たり設定処理（Ｓ１４０）に移行し、上記した中当たりに関する処理（Ｓ９０，Ｓ１００，Ｓ１１０，Ｓ１３０）はなされない。
【００６６】
中当たり当否判定及び中当たり設定処理（Ｓ９０）では、図８のフローチャートから理解されるように、前記ラベル−ＴＲＮＤ−Ａの取得数値Ｑ１が中当たり数値である‘５’と対比され（Ｓ９１）、前記中当たり数値に該当するならば中当たりとなり、中当たりフラグＢ１が１にセットされると共に、該中当たりフラグＢ１（＝１）がメイン制御回路７０のＲＡＭ内に格納される（Ｓ９２）。なお、前記中当たり数値に該当しない場合は、そのまま終了する。
【００６７】
リーチ決定処理（Ｓ１００）においては、リーチの有無、つまり、図柄表示装置５０の画像表示部５１でリーチ状態（可変図柄が及びリーチ外れ）となるか否かの決定がなされる。図９のフローチャートから理解されるように、このリーチ決定処理（Ｓ１００）では、最初に中当たりフラグＢ１が１か否か確認され（Ｓ１０１）、中当たりフラグＢ１が１ではなく０、つまり中当たり不成立となる場合、前記ラベル−ＴＲＮＤ−Ｒ１の記憶取得数値Ｑ２が読み出され、その取得数値Ｑ２が‘２４’又は‘４９’であるか否か判断される（Ｓ１０２）。そして、両値が一致しない場合、リーチ無し（リーチ状態移行不可）となることが決まる。一方、前記取得数値Ｑ２が‘２４’又は‘４９’である場合、リーチ有り（リーチ状態移行可）となることが決定し、リーチフラグＣ１が１にセットされると共に、該リーチフラグＣ１（＝１）がメイン制御回路７０のＲＡＭ内に格納される（Ｓ１０３）。また、前記Ｓ１０１において中当たりフラグＢ１が１の場合、つまり中当たりとなる場合にも、リーチ有りとなることが決定し、リーチフラグＣ１が１にセットされると共に、該リーチフラグＣ１（＝１）がメイン制御回路７０のＲＡＭ内に格納される（Ｓ１０３）。
【００６８】
可変図柄決定処理（Ｓ１１０）では、前記中当たり当否判定及び中当たり設定処理（Ｓ９０）に基づき図柄表示装置５０の画像表示部５１に確定（最終）停止表示する可変図柄の決定が行われる。図１０のフローチャートから理解されるように、この可変図柄柄決定処理（Ｓ１１０）では、まず、前記中当たりフラグＢ１の値が１か否か判断される（Ｓ１１１）。該値が１と判断された場合、すなわち中当たりとなる場合、前記ラベル−ＴＲＮＤ−ＡＺ１の記憶取得数値Ｑ３が読み出され、その取得数値Ｑ３に対し、前記した予め決められている図柄の組合せ（可変図柄にあっては、例えば『１』のぞろ目等）が、画像表示部５１確定停止表示される確定大当たり停止図柄組合せとして決定される（Ｓ１１２）。当該決定後、リーチフラグＣ１の値が０にセットされる（Ｓ１１３）と共に、決定された確定大当たり停止可変図柄組合せのデータは、メイン制御回路７０（ワンチップマイクロコンピュータ）内のＲＡＭの出力バッファに格納される（Ｓ１１４）。
【００６９】
それに対して、前記Ｓ１１１で中当たりフラグＢ１の値が１でない、すなわち前記値が０と判断され、中当たり外れと判定された場合には、前記ラベル−ＴＲＮＤ−Ｂ１〜Ｂ３の記憶取得数値Ｑ４〜Ｑ６が読み出され、その読み出された全数値Ｑ４〜Ｑ６が一致するか否か判断される（Ｓ１１５）。全数値Ｑ４〜Ｑ６が一致する場合、続いてリーチ有り（前記リーチフラグＣ１＝１）か否か、ここでは前記ラベル−ＴＲＮＤ−Ｒ１の記憶取得数値Ｑ２が‘２４’又は‘４９’か否か判断される（Ｓ１１６）。そして、リーチ無し（リーチフラグＣ１＝０）と判断された場合、前記ラベル−ＴＲＮＤ−Ｂ２（右可変図柄用）の取得数値Ｑ５を１加算し、その値とラベル−ＴＲＮＤ−Ｂ１，Ｂ３の取得数値Ｑ４，Ｑ６に対して予め決められている図柄が、画像表示部５１の各表示領域に確定停止表示される外れ可変図柄組合せとして決定される（Ｓ１１７）。一方、前記Ｓ１１６で、リーチ有り（リーチフラグＣ１＝１）と判断された場合、前記ラベル−ＴＲＮＤ−Ｂ３（中可変図柄用）の取得数値Ｑ６を１加算し、その値とラベル−ＴＲＮＤ−Ｂ１，Ｂ２の取得数値Ｑ４，Ｑ５に対して予め決められている可変図柄が、各表示領域に確定停止表示される外れ可変図柄組合せとして決定される（Ｓ１１８）。
【００７０】
また、前記Ｓ１１５において、ラベル−ＴＲＮＤ−Ｂ１〜Ｂ３の取得数値Ｑ４〜Ｑ６のうち、少なくとも１つが異なる数値となる場合には、ラベル−ＴＲＮＤ−Ｂ１の取得数値Ｑ４とラベル−ＴＲＮＤ−Ｂ２の取得数値Ｑ５が一致するか否か判断され（Ｓ１１９）、両値が一致する場合、さらにリーチ有り（リーチフラグＣ１＝１）か否か判断される（Ｓ１２０）。そして、リーチ無し（リーチフラグＣ１＝０）と判断された場合、前記ラベル−ＴＲＮＤ−Ｂ２の取得数値Ｑ５を１加算し、その値とラベル−ＴＲＮＤ−Ｂ１，Ｂ３の取得数値Ｑ４，Ｑ６に対して予め決められている可変図柄が、画像表示部５１の各表示領域に確定停止表示される外れ可変図柄組合せとして決定される（Ｓ１１７）。一方、前記Ｓ１２０において、リーチ有り（リーチフラグＣ１＝１）と判断された場合、ラベル−ＴＲＮＤ−Ｂ１〜Ｂ３の取得数値Ｑ４〜Ｑ６に対して予め決められている可変図柄が、各表示領域に確定停止表示される外れ可変図柄組合せとして決定される（Ｓ１２１）。
【００７１】
さらに、前記Ｓ１１９において、ラベル−ＴＲＮＤ−Ｂ１の取得数値Ｑ４とラベル−ＴＲＮＤ−Ｂ２の取得数値Ｑ５が一致しない場合、続いてリーチ有り（リーチフラグＣ１＝１）か否か判断される（Ｓ１２２）。そして、リーチ有り（リーチフラグＣ１＝１）と判断された場合には、ラベル−ＴＲＮＤ−Ｂ２の取得数値Ｑ５をラベル−ＴＲＮＤ−Ｂ１の取得数値Ｑ４と同一数値に変更し、かつラベル−ＴＲＮＤ−Ｂ３の取得数値Ｑ６を前記ラベル−ＴＲＮＤ−Ｂ１の取得数値Ｑ４に１加算した数値に変更し、それらの数値とラベル−ＴＲＮＤ−Ｂ１の取得数値Ｑ４に対して予め決められている可変図柄が、画像表示部５１の各表示領域に確定停止表示される外れ可変図柄組合せとして決定される（Ｓ１２３）。一方、前記Ｓ１２２において、リーチ無し（リーチフラグＣ１＝０）と判断された場合、ラベル−ＴＲＮＤ−Ｂ１〜Ｂ３の取得数値Ｑ４〜Ｑ６に対し、前出の予め決められている可変図柄が、各表示領域に確定停止表示される外れ可変図柄組合せとして決定される（Ｓ１２１）。
【００７２】
前記Ｓ１１７，Ｓ１１８，Ｓ１２１，Ｓ１２３において決定された後、リーチフラグＣ１の値が０にセットされる（Ｓ１１３）と共に、決定された確定大当たり停止可変図柄組合せのデータは、メイン制御回路７０（ワンチップマイクロコンピュータ）内のＲＡＭの出力バッファに格納される（Ｓ１１４）。
【００７３】
特定図柄明示決定処理（Ｓ１３０）では、前記中当たり当否判定及び中当たり設定処理（Ｓ９０）に基づき図柄表示装置５０の画像表示部５１に確定（最終）停止表示する可変図柄と一対一で対応する特定図柄の明示の決定が行われる。図１１のフローチャートから理解されるように、この特定図柄明示決定処理（Ｓ１３０）では、前記ラベル−ＴＲＮＤ−ＡＺ１の取得数値Ｑ３が特定図柄明示指令信号（コマンド）と共にメイン制御回路７０のＲＡＭ中の出力バッファ内に格納される（Ｓ１３１）。
【００７４】
大当たり当否判定及び大当たり設定処理（Ｓ１４０）では、判定フラグ内に大当たりを意味するビット値となったフラグの有無が確認されると共に、大当たりフラグＡ１の制御が行われる。図１２のフローチャートから理解されるように、まず、中当たりフラグＢ１の値が１か否か、すなわち、前記Ｓ９０の中当たり当否判定及び中当たり設定処理において、中当たりが成立したか否か確認され（Ｓ１４１）、該Ｂ１の値が１でなければ当該処理（Ｓ１４０）は終了する。そして、中当たりフラグＢ１の値が１である場合には、前記Ｓ１１０の可変図柄決定処理において確定（最終）停止表示図柄組合せとして決定された可変図柄に対応するビットデータに判定フラグｆｙ（ｙ＝１〜８のいずれか）は設定される（Ｓ１４２）。すなわち、後述する明示処理（Ｓ３４０）により明示される特定図柄Ｚ１〜Ｚ９（図１５等に図示）に対応するビットデータのビット値の更新が行われ、各判定フラグ毎にビット値の総和（論理和）が求められる。続いて、順次各判定フラグｆ１〜ｆ８の設定終了が確認される（Ｓ１４３）。
【００７５】
全ての判定フラグの設定が終了すると、判定フラグ領域中のビットデータ（ビット値の総和（論理和））が「２進法の１１１」となっている判定フラグの有無が確認される（Ｓ１４４）。前記判定フラグ領域中のビットデータ（ビット値の総和（論理和））が「２進法の１１１」となっている判定フラグがある場合、大当たりフラグＡ１が１にセットされると共に、該大当たりフラグＡ１（＝１）がメイン制御回路７０のＲＡＭ内に格納され（Ｓ１４６）、前記判定フラグｆｙ（ｙ＝１〜８のいずれか該当するもの）のリセット（値を０にセット）される（Ｓ１４７）。続いて、中当たりフラグＢ１の値が０にセットされる（Ｓ１４８）。一方、判定フラグ領域中のビットデータ（ビット値の総和（論理和））が「２進法の１１１」となっている判定フラグがない場合には、各判定フラグｆ１〜ｆ８の判定終了が確認され（Ｓ１４５）、中当たりフラグＢ１の値が０にセットされる（Ｓ１４８）。
【００７６】
大当たり遊技実行処理（Ｓ１５０）においては、図１３に示すように、最初に、大当たり遊技実行中フラグＤ１の値が１か否か判断され（Ｓ１５１）、該値が１でなければ、続いて、大当たりフラグＡ１の値が１か否か、つまり大当たりが成立しているか否か確認される（Ｓ１５２）。そして、前記大当たりフラグＡ１の値が１の場合には、前記配列図柄表示部６１で大当たりとなったことを報知する大当たり表示（有効ラインの成立の明示）の終了、言い換えれば大当たり表示時間の終了を確認してから（Ｓ１５３）、前記大当たり遊技実行中フラグＤ１が１にセットされる（Ｓ１５４）と共に、前記大当たりフラグＡ１の値が０にセットされる（Ｓ１５５）。それと同時に、大当たり遊技実行手段（この例ではメイン制御回路７０が相当する。）の指示に基づいて、前記大入賞口開放用ソレノイドの励磁により前記大入賞口１５の開閉板１０１を開放して遊技領域６表面を落下してくる遊技球を受け止め、大入賞口１５内へ入賞可能、すなわち大当たり遊技の実行を開始する（Ｓ１５６）。なお、前記１５１で大当たり遊技実行中フラグＤ１の値が１である場合は、Ｓ１５６の大当たり遊技の実行に移行する。また、Ｓ１５２で大当たりフラグＡ１の値が１でない場合及びＳ１５３で大当たり表示（有効ライン成立表示）時間が終了していない場合、直ちに大当たり遊技実行処理（Ｓ１５０）を終了する。
【００７７】
具体的に前記大当たり遊技の実行時においては、前記開閉板１０１は、所定時間（例えば２９秒）経過後、あるいは前記入賞球数カウントスイッチで検出された入球数が所定個数（例えば１０個）となった時点で閉じるようにされている。
また、前記特定領域入賞口１０３への入球を特定入賞球検出スイッチが検出する毎に前記開閉板１０１の開放を再度繰り返す継続権利が発生し、前記開閉板６１の開放を所定最高ラウンド数（例えば最高１５ラウンド）繰り返す。そして、前記開閉板１０１の開放中に特定入賞球検出スイッチによる入球の検出が無いか、あるいは前記最高ラウンド数の開閉板１０１の開放が終了するかのいずれかの大当たり遊技終了条件が成立すると、大当たり遊技は終了する（Ｓ１５７，Ｓ１５８）。大当たり遊技の終了と共に配列図柄表示部における特定図柄の明示を解除するコマンドが発信（特定図柄明示解除処理）され（Ｓ１５９）、前記大当たり遊技実行中フラグＤ１の値が０にセットされる（Ｓ１６０）。前記大入賞口１５への入球に対して、１個の入球につき所定数、実施例では１５個の遊技球が賞球払出装置により賞品球として払い出される。
【００７８】
また、メイン処理Ｍにおいては、上述した各処理の他、遊技状態時に必要となるその他の処理（Ｓ２００）、例えば左，右普通図柄変動開始用ゲート１９，２１の通過の確認、普通図柄当たり当否判定処理、可変図柄変動態様決定処理、始動入賞口開放処理、表示装置表示処理、スピーカ発声処理、各種発光体発光処理、フラグ等のリセット、その他のエラーの処理等が行われて、爾後の処理に備えて待機状態となる。
【００７９】
次に前記配列図柄明示制御回路８０が行うメイン処理について説明する。図１４のフローチャートから理解されるように、配列図柄明示制御回路におけるメインルーチン（Ｓ３００）において、まず、電源投入がなされたか否か確認されてから（Ｓ３１０）、初期設定（Ｓ３２０）、入力処理（Ｓ３３０）、明示処理（Ｓ３４０）、その他の処理（Ｓ３５０）が行われる。
【００８０】
初期設定（Ｓ３２０）は、前記メイン制御回路のメイン処理Ｍと同様にスタックの設定、定数設定、ＣＰＵの設定、ＳＩＯ，ＰＩＯ，ＣＴＣの設定等を行う。
なお、電源投入時のみに必要な処理は１順目のみに実行され、後は実行されることがない。
【００８１】
入力処理（Ｓ３３０）は、メイン制御回路７０から送信される明示図柄指定コマンド（例えば、前記Ｑ３の取得数値等）をはじめとする各種入力データを配列図柄明示制御回路内のＲＡＭ内のバッファに蓄積する処理である。
【００８２】
明示処理（Ｓ３４０）では、前記Ｓ３４０の入力処理により、配列図柄明示制御回路内のＲＡＭ内のバッファに蓄積された入力データの各種コマンドに基づく特定図柄の明示が決定され、特定図柄の明示時間が経過した時に、配列図柄表示装置において可変図柄と一対一で対応する特定図柄が明示される。
【００８３】
その他の処理（Ｓ３５０）では、明示解除処理における大当たり後の明示解除の他、その他のエラーの処理等が行われて、爾後の処理に備えて待機状態となる。
【００８４】
前記大当たり当否判定及び大当たり設定処理（Ｓ１４０）におけるビットデータ及びビット値の設定について、以下の表２を用いて説明する。
【００８５】
【表２】
2004229805.tif 000004
【００８６】
実施例の遊技機１は、後述する図１５より理解されるように、Ｅ１〜Ｅ８の８本（ｎ＝８）の有効ラインと、前記大当たり遊技（特典遊技）が実行可能となるために当該有効ライン上に明示される特定図柄を３個（ｍ＝３）備える。前記遊技機１は、表２に示す通り、判定フラグｆ１〜ｆ８からなるの８個のフラグ領域を有すると共に、各判定フラグのそれぞれのフラグ領域は、特定図柄Ｚ１〜Ｚ９の個々のビットデータからなる集合であり、少なくとも当該有効ライン上に明示される特定図柄の個数以上、すなわち３ビット以上のビットデータから構成される。当該ビットデータ中の各ビット値（２進法における数値０〜１１１のいずれかの値）は、表２に示す通り、各フラグ領域でＺ１〜Ｚ９の特定図柄毎に対応して設定されている。
【００８７】
具体的に、特定図柄Ｚ１に対してビット値は、「０，１００」、Ｚ１に対してビット値は、「０，１００」、Ｚ１に対してビット値は、「０，１００」、Ｚ２に対してビット値は、「０，１０，１００」、Ｚ３に対してビット値は、「０，１，１００」、Ｚ４に対してビット値は、「０，１０，１００」、Ｚ５に対してビット値は、「０，１０」、Ｚ６に対してビット値は、「０，１，１０」、Ｚ７に対してビット値は、「０，１，１００」、Ｚ８に対してビット値は、「０，１，１０」、Ｚ９に対してビット値は、「０，１」である。なお、ビット値について示した鍵括弧内の数値は２進法における数値であり、以下同様である。
【００８８】
特定図柄の明示は、前出のメイン制御回路７０におけるラベル−ＴＲＮＤ−ＡＺ１の取得数値Ｑ３が０〜９のいずれかであるかの他、大当たり遊技実行コマンド等の各種データが配列図柄明示制御回路８０において、Ｓ３４０の明示処理を経ることにより、該当する特定図柄Ｚ１〜Ｚ９のいずれかが明示される。明示に連動して、特定図柄Ｚ１〜Ｚ９の該当個所のビット値は、初期状態の「０」より上記の通り、明示状態の「１，１０，１００」のいずれかの値に変化される。なお、電源投入時及び前記大当たり実行処理（Ｓ１５０）の特定図柄明示解除処理（Ｓ１５９）において明示は解除されるため、前記Ｓ１４７の判定フラグのリセットにより、全てのビット値は初期状態である「０」に更新される。
【００８９】
前記大当たり当否判定及び大当たり設定処理（Ｓ１４０）においては、逐一、各判定フラグ領域毎に特定図柄Ｚ１〜Ｚ９に対応するビット値の総和（論理和）が求められる。前出の表２から自明な通り、いずれかの判定フラグ領域中のビット値の総和（論理和）が「１１１」になるか否かにより、該当する判定フラグｆｙ（ｙ＝１〜８のいずれか１個）は、１にセットされ、ｆｙ＝１の判定フラグは、配列図柄明示制御回路内のＲＡＭ内に格納される。このようにビットデータ中における個々のビット値の変化を認識することにより、いずれの特定図柄が前記有効ライン上に明示されているのか、特定図柄の明示が所定の組合せ態様（実施例にあっては、有効ライン）に形成されているのかの遊技状況を容易に把握可能とすることができる。
【００９０】
実施例の画像表示部５１（可変図柄表示領域）に表示される可変図柄の変動態様及び配列図柄表示部６１（配列図柄表示領域）に明示される特定図柄の明示態様の具体例、中当たり及び大当たりが成立する場合について図１５及び図１６を用いて説明する。
【００９１】
図１５（ａ）の表示例は、前記始動入賞口（入賞領域）１０への入賞（入球）が可変図柄変動開始スイッチにより検出されると、前記メイン処理Ｍにしたがって図示されるように、前記画像表示部５１における左，中，右可変図柄表示領域５１ｌ，５１ｍ，５１ｒにおいて、左可変図柄ＶＬ，中可変図柄ＶＭ，右可変図柄ＶＲの全図柄が上から下へ縦スクロール変動（可変表示）を始めた状態を表すものである。符号４１は普通図柄表示領域であり、実施例においては、普通図柄の図示を省略する。
【００９２】
一方、配列図柄表示部６１においては、１〜９の数字からなる特定図柄Ｚ１〜Ｚ９は、「３行３列の行列」であるマトリックス状に配置され、特定図柄が明示されていない場合には、図示するように暗転（ＬＥＤ未点灯）されている。また、前記配列図柄表示部６１においては、当該表示部に配置される特定図柄Ｚ１，Ｚ２，Ｚ３の明示（ＬＥＤ点灯による明転）より有効ラインＥ１（矢印として図示）が成立する。同様に特定図柄Ｚ４，Ｚ５，Ｚ６より有効ラインＥ２、特定図柄Ｚ７，Ｚ８，Ｚ９より有効ラインＥ３、特定図柄Ｚ１，Ｚ４，Ｚ７より有効ラインＥ４、特定図柄Ｚ２，Ｚ５，Ｚ８より有効ラインＥ５、特定図柄Ｚ３，Ｚ６，Ｚ９より有効ラインＥ６、特定図柄Ｚ１，Ｚ５，Ｚ９より有効ラインＥ７、特定図柄Ｚ３，Ｚ５，Ｚ７より有効ラインＥ８が成立する設定である。
【００９３】
図１５（ｂ）の表示例は、前記Ｓ８０における中当たり当否判定条件が成立し、Ｓ１１０の可変図柄決定処理によって、ラベル−ＴＲＮＤ−ＡＺ１の取得数値Ｑ３に‘２’が選択され、リーチが演出されている一例である。具体的には前記画像表示部５１の左，右可変図柄表示領域５１ｌ，５１ｒにおいて、左，右可変図柄ＶＬ，ＶＲが仮停止し、中可変図柄表示領域５１ｍにおいて中可変図柄５１ｍが変動を継続している状態である。
【００９４】
図１５（ａ），（ｂ）の表示例では、いずれの特定図柄も明示されていないため、下記の表３に示す通り、いずれの判定フラグ領域中のビット値も「０」であり、その総和も当然「０」である。
【００９５】
【表３】
2004229805.tif 000005
【００９６】
図１５（ｃ）の表示例は、画像表示部５１において、前出の図１５（ｂ）のリーチ状態から全可変図柄ＶＬ，ＶＭ，ＶＲ（『３』のぞろ目）が中当たり可変図柄組合せとして確定停止表示した状態である。この結果、前述のメイン処理（Ｍ）、配列図柄明示制御回路におけるメインルーチン（Ｓ３００）内の各種処理を経て、配列図柄表示部６１の特定図柄Ｚ３が明示される。前記特定図柄Ｚ３の明示箇所ＣＬは他の特定図柄と比して明転（ＬＥＤ点灯による色調の変化）し、遊技者に明示を認識させるものである。同時に、下記の表４に示す通り、特定図柄Ｚ３に対応する判定フラグ領域中のビット値が「１，１００」に変更される。この場合のビット値の総和（論理和）は「０，１，１００」であるため、いずれの有効ラインも成立していないと認識される。
【００９７】
【表４】
2004229805.tif 000006
【００９８】
図１６（ａ），（ｂ）の表示例は、さらに、画像表示部５１において、リーチ状態から全可変図柄ＶＬ，ＶＭ，ＶＲ（『５』のぞろ目さらに『２』のぞろ目）が中当たり可変図柄組合せとして確定停止表示した状態である。この結果、可変図柄に連動して配列図柄表示部６１の特定図柄Ｚ５，Ｚ２の明示箇所ＣＬが広がる。同時に、下記の表５に示す通り、特定図柄Ｚ２，Ｚ５に対応する判定フラグ領域中のビット値が「１０，１００」及び「１０」に変更される。この場合のビット値の総和（論理和）は「０，１０，１１，１００」であるため、まだ、いずれの有効ラインも成立していないと認識される。
【００９９】
【表５】
2004229805.tif 000007
【０１００】
図１６（ｃ）の表示例は、またさらに、画像表示部５１において、リーチ状態から全可変図柄ＶＬ，ＶＭ，ＶＲが『７』のぞろ目からなる中当たり可変図柄組合せとして確定停止表示した状態である。同様に特定図柄Ｚ７の明示箇所ＣＬが広がり、有効ラインＥ８が成立する。同時に、下記の表６に示す通り、特定図柄Ｚ７に対応する判定フラグ領域中のビット値が「１，１００」に変更され、ビット値の総和（論理和）は「１，１０，１１，１００，１１０，１１１」となる。この場合、ビット値の総和（論理和）に「１１１」が存在するため、判定フラグｆ８は１にセットされ、当たり特定図柄『３５７』からなる有効ラインＥ８の成立が確認される。有効ライン成立後、すなわち大当たり後は、前述のＳ１５０の大当たり遊技実行処理等に詳述した大当たり遊技に移行する。なお、実施例中、配列図柄表示領域６１内の特定図柄の明示は大当たり遊技（特典遊技）が実行されるまで継続される。
【０１０１】
【表６】
2004229805.tif 000008
【０１０２】
上記実施例にあっては、画像表示部５１における複数の可変図柄が全て同一、いわゆるぞろ目となることにより中当たりが成立し、該中当たりを契機として対応する特定図柄を明示させるものである。ここで、好適なカウンタ、フラグ等を適宜設けることにより、他の実施例として図１７（ａ），（ｂ）の態様が例示される。図１７（ａ）の表示例は、左，右可変図柄ＶＬ，ＶＲは共に『５』に、中可変図柄ＶＭは『６』からなるリーチ外れで停止した可変図柄組合せを表すものである。このように停止した可変図柄においては、同一図柄種からなる左，右可変図柄ＶＬ，ＶＲが２個であり、中可変図柄ＶＭの図柄種より多い組合せの成立を契機として、例えば多い方の図柄種である特定図柄Ｚ５を明示可能に設定してもよい。あるいは、図１７（ｂ）の表示例のように、停止した可変図柄が全て異なり、左，中，右可変図柄ＶＬ，ＶＭ，ＶＲが１ずつ順に増しているような特定の組合せの成立を契機として、例えば中可変図柄ＶＭに対応する特定図柄Ｚ２を明示可能に設定することもできる。むろん、可変図柄及び特定図柄の表示態様はこれらに限られるものではない。
【０１０３】
実施例の遊技機においては、特典遊技の遊技例として大入賞口の開閉を伴う大当たり遊技を実行するものであるが、別途、ラウンド数選択処理、適宜のカウンタにより成立する確率変動フラグ、確率設定処理、普通図柄変動態様決定処理等を追加することにより、特典遊技の他の態様を演出可能とすることができる。
【０１０４】
当該遊技機の大当たり成立時、特定図柄の明示がいずれの有効ラインにおいて形成されているのかにより、前記ラウンドの所定最高回数（例えば最高１５回又は１３回）を変化させることが可能である。例えば、大当たり成立時、縦、横からなる通常変動有効ライン（非確率変動有効ライン）、すなわち、有効ラインＥ１〜Ｅ６が形成されている場合には、ラウンド数を１５回とする。一方、斜めからなる確率変動有効ライン、すなわち、有効ラインＥ７，Ｅ８が形成されている場合には、ラウンド数を１３回とする設定である。
【０１０５】
さらに、大当たり遊技終了後に大当たり遊技終了後に当該大当たり遊技の賞価値とは異なる賞価値を遊技者に付与することができる。具体的には、確率変動（確変）機能及び時間短縮（時短）機能を併せて備えることにより、大当たり成立時に形成される有効ラインが前記確率変動有効ラインであるときには、大当たり終了後に確率変動及び時間短縮が生じ、すなわち次回の中当たり発生確率が平時における通常遊技状態（低確率状態、１／５０：対比される数値が‘５’のみ）よりも高い確率変動状態（高確率状態、５／５０：対比される数値が‘５’，‘１５’，‘２５’，‘３５’，‘４５’の５種類）に移行されると共に、可変図柄が変動開始してから確定停止表示されるまでの時間（判定結果表示に要する時間）が通常より短くなり、該確率変動状態及び時間短縮状態は次回の大当たりまで継続するようになっている。一方、大当たり成立時に形成される有効ラインが前記通常変動有効ラインであるときには、大当たり終了後は、通常遊技状態（低確率状態、１／５０）とされ、時間短縮も行われず、該通常遊技状態は次回の大当たりまで継続するようになる。
【０１０６】
また、前記大当たり成立時に確率変動有効ラインが形成され、当該大当たり後の確率変動状態及び時間短縮状態時には、前記始動入賞口１０への入球率を向上させて中当たり当否判定の機会が増大するようにされている。すなわち、前記普通図柄当たり（小当たり）による始動入賞口１０（駆動部材１１ａ，１１ｂ）の拡開開放時間を長くする他、前記普通図柄表示領域４１の普通図柄の変動時間を短縮する等により前記始動入賞口１０（駆動部材１１ａ，１１ｂ）の拡開開放状態の発生頻度を多くする等によるものである。なお、前記確率変動状態及び時間短縮状態並びに判定機会増大状態時に、再び、前記確率変動有効ラインが形成された場合には、その大当たり終了後に再度確率変動状態及び時間短縮状態並びに判定機会増大状態になる。
【０１０７】
このように、ラウンド数等の大当たり遊技実行時における賞価値、確率変動、時間短縮、判定機会増大等の他の賞価値（遊技者に与える遊技価値）が特典遊技として、大当たり成立時に形成される有効ラインによって変化するようにすると、当たり図柄組合せに対する遊技者の興味を増し、遊技の幅を広げ、遊技をより一層面白くすることができる。
【０１０８】
上記実施例の可変図柄及び特定図柄は、数字により識別可能に表示するものであるが、例えば、識別力を有する複数種の人物，植物，動物，物等のキャラクタ，図形等を用いることができる。
【０１０９】
実施例の配列図柄表示部（配列図柄表示領域）は、３行３列の行列でマトリックス状に特定図柄を配置するものであるが、４行４列等の行列に拡張し、１本の有効ラインを４個以上の特定図柄から形成するように設計することもできる。
【０１１０】
また、実施例は、可変図柄表示領域として図柄表示装置に液晶（ＴＦＴ−ＬＣＤモジュール）を用い、配列図柄表示領域として配列図柄表示装置に透光部材とＬＥＤを用い、互いに区画して構成されるものであるが、可変図柄、特定図柄の表示方法は、これに限定されることはなく、ドットマトリックス式又はセグメント式ＬＥＤ、回転ドラム等の表示手段から適宜選択される。また双方の表示手段は、視認性が確保できる限りにおいて、同一とすることは、何ら差し支えない。
例えば、可変図柄表示領域、配列図柄表示領域に２個の液晶（ＴＦＴ−ＬＣＤモジュール）を用いる他、１個の液晶（ＴＦＴ−ＬＣＤモジュール）を互いに区画して表示することもできる。
【０１１１】
併せて、実施例の配列図柄表示部（配列図柄表示領域）における表示手段を適宜変更することに伴い、特定図柄の明示を実施例に示したＬＥＤの点灯とする態様から、図柄色の変化、図柄上にＯ印の表示、図柄の表示されたドラムの回転等、特定図柄の選択が遊技者に認識可能な限りにおいて、適宜の明示態様が挙げられる。
【０１１２】
加えて、上記の説明では、パチンコ遊技機を用いて説明してきたが、本発明はこれに限定されず、コイン遊技機やスロットマシン等であってもよく、可変表示装置に図柄，背景，図柄利用演出，文字等が変動表示可能な遊技機であれば何ら問題なく、適宜の遊技機に適用することができる。
【０１１３】
【発明の効果】
以上図示し説明したように、請求項１の発明に係る遊技機によると、所定の可変図柄組合せで停止した場合のみ、前記停止した所定の可変図柄組合せと対応する特定図柄を配列図柄表示領域内に明示すると共に、前記明示された特定図柄同士が所定の組合せとなった場合、賞価値を付与可能に移行制御するため、可変図柄の遊技で成立した所定の可変図柄組合せ結果を特定図柄の組合せ遊技に直接関連づけることが可能となると共に、可変図柄の遊技と特定図柄の組合せ遊技との２段階の遊技を実現することができる。
【０１１４】
とりわけ、請求項２ないし４の発明に係る遊技機によると、各種の停止した可変図柄組合せの態様により、相当する箇所の特定図柄が明示されるため、停止した可変図柄組合せの種類を増やすことができ、遊技者に特定図柄の明示のときに意外性を演出することができる。
【０１１５】
また、請求項５の発明に係る遊技機によると、可変図柄と特定図柄は一対一で対応しているため、停止表示された可変図柄と明示される特定図柄との関連性を明確にすることができる。
【０１１６】
請求項６の発明に係る遊技機によると、明示された特定図柄が所定の組合せであるときに、賞価値が付与される特典遊技が実行されるため、遊技者は、特典遊技を目標にして遊技意欲を高めることができる。
【０１１７】
さらに、請求項７の発明に係る遊技機によると、特定図柄は配列図柄表示領域内にマトリックス状に配置され、明示された特定図柄の成す所定の組合せ態様が、縦、横、斜めからなるいずれかの有効ラインを形成するため、特典遊技への移行を遊技者に強調して認識させることができる。
【０１１８】
請求項８の発明に係る遊技機によると、ビットデータ中の各ビット値は特定図柄に対応し、特定図柄の明示に連動してビットデータ中のビット値を変化させるため、各ビット値の状態により、比較的容易に組合せ態様を認識することができると共に特典遊技開始の可否を決定することができる。
【０１１９】
加えて、請求項９の発明に係る遊技機によると、特定図柄の配列図柄表示領域内における明示は特典遊技が実行されるまで継続されるため、特典遊技が発生するまで遊技者にどの有効ラインが形成されるかといった期待感を持続させることができる。
【０１２０】
また、請求項１０の発明に係る遊技機によると、可変表示領域と配列図柄表示領域は互いに区画されるため、それぞれの領域毎の視認性を確保すると共に、互いの領域で異なった表示演出が可能となる。
【０１２１】
加えて、請求項１１の発明に係る遊技機によると、遊技球の入球領域への入球に起因して可変表示領域において複数の可変図柄が可変表示を開始し、前記複数の可変図柄が所定の可変図柄組合せで停止した場合、当該停止した可変図柄に対応する特定図柄を利用してビンゴゲームが行われるため、可変図柄の可変表示に伴う遊技と特定図柄の明示に伴うビンゴゲームとを併せ持ち、斬新な遊技感覚を実現可能となる。
【図面の簡単な説明】
【図１】本発明の一実施例に係る遊技機全体の正面図である。
【図２】同遊技機の遊技盤の正面図である。
【図３】同遊技機のシステム制御を簡略に示すブロック図である。
【図４】同遊技機のメイン制御回路が実行するメイン処理に関するフローチャートである。
【図５】出力処理に関するフローチャートである。
【図６】乱数更新処理に関するフローチャートである。
【図７】乱数取得処理に関するフローチャートである。
【図８】中当たり当否判定及び中当たり設定処理に関するフローチャートである。
【図９】リーチ決定処理に関するフローチャートである。
【図１０】可変図柄決定処理に関するフローチャートである。
【図１１】特定図柄明示決定処理に関するフローチャートである。
【図１２】大当たり当否判定及び大当たり設定処理に関するフローチャートである。
【図１３】大当たり遊技実行処理に関するフローチャートである。
【図１４】配列図柄制御回路におけるメインルーチンに関するフローチャートである。
【図１５】画像表示部及び配列図柄表示部における第一表示例である。
【図１６】画像表示部及び配列図柄表示部における第二表示例である。
【図１７】画像表示部及び配列図柄表示部における他の実施例の表示例である。
【符号の説明】
１  遊技機
３  遊技盤
６  遊技領域
１０  始動入賞口
１５  大入賞口
５０  図柄表示装置
５１  画像表示部
６０  配列図柄表示装置
６１  配列図柄表示部
７０  メイン制御回路
８０  配列図柄明示制御回路
９０  表示制御回路
１０１  開閉板
【図１】
2004229805.tif 000009
【図２】
2004229805.tif 000010
【図３】
2004229805.tif 000011
【図４】
2004229805.tif 000012
【図５】
2004229805.tif 000013
【図６】
2004229805.tif 000014
【図７】
2004229805.tif 000015
【図８】
2004229805.tif 000016
【図９】
2004229805.tif 000017
【図１０】
2004229805.tif 000018
【図１１】
2004229805.tif 000019
【図１２】
2004229805.tif 000020
【図１３】
2004229805.tif 000021
【図１４】
2004229805.tif 000022
【図１５】
2004229805.tif 000023
【図１６】
2004229805.tif 000024
【図１７】
2004229805.tif 000025